(57)【要約】本発明は、ワイヤレスローカルエリアネットワークへの加入者のための位置システムを開示し、このシステムは、複数の加入者端末とワイヤレスローカルエリアネットワークのアクセス部分を含み、位置管理サブシステムを更に含む。位置管理サブシステムは、ローカルエリアネットワークへの全ての加入者の位置情報を得ると共に該位置管理サブシステムに接続されたクライアントアプリケーションエンドからの位置情報リクエストに応答してリクエストされた加入者位置情報を提供する。位置管理サブシステムは、直接又は中間ネットワークを介してクライアントアプリケーションエンドに接続され、直接又はワイヤレスローカルエリアネットワークのアクセス部分を介して加入者端末に接続されると共に、位置管理サブシステムの内外で情報インタラクティブプログレスを確実にコントロールする管理ユニットと、該管理ユニットに接続された、加入者位置情報を確実に得ると共に検出する位置管理サブシステム情報検出ユニットと、を更に含む。本発明はまた、加入者を位置決めする上記システムを実施する方法を開示し、ワイヤレスローカルエリアネットワークへの加入者の位置機能を実現可能とすると共に加入者のより正確な位置を提供する。
2006505223.tif 000002
【特許請求の範囲】
【請求項１】
一つ以上のユーザ装置（ＵＥ）とＷＬＡＮアクセス部分とを含み、
ＷＬＡＮユーザの位置情報を得ると共に、位置決め管理サブシステムに位置情報をリクエストするアプリケーションクライアントへ所望されるユーザ位置情報を送る前記位置決め管理サブシステムとを含む、ワイヤレスローカルエリアネットワーク（ＷＬＡＮ）のためのユーザ位置決めシステムであって、
前記位置決め管理サブシステムが前記ＵＥと前記アプリケーションクライアントの両方に接続され、
前記位置決め管理サブシステムが、
該位置決め管理サブシステム内部の情報インタラクションプロセスと、該位置決め管理サブシステムと該位置決め管理サブシステム外部の間の情報インタラクションプロセスとをコントロールする、管理ユニットと、
前記管理ユニットに接続され、ユーザ位置情報を得ると共に該ユーザ位置情報の変化を検出する、位置決め情報検出ユニットと、
を更に含むことを特徴とする、
ユーザ位置決めシステム。
【請求項２】
前記位置決め管理サブシステムが、直接または前記ＷＬＡＮアクセス部分を介して、ＵＥに接続されることを特徴とする、請求項１に記載のシステム。
【請求項３】
前記位置決め管理サブシステムが、独立したデバイスであり、または、認証、許可、及びアカウントサーバ（ＡＳ）に配置される機能モジュールであり、または、ＷＬＡＮアクセスコントローラ（ＡＣ）に配置される機能モジュールであり、アクセスポイント（ＡＰ）に配置される機能モジュールであり、または、ＵＥに配置される機能モジュールであり、または、ＡＳ、ＡＰ、ＡＣ及びＵＥの任意の複数のデバイス内にそれぞれ配置される一つ以上の機能モジュールの組み合わせであることを特徴とする、請求項１に記載のシステム。
【請求項４】
前記位置決め管理サブシステムが、アクセスポイント識別情報を一般的な地理的位置データへ変換するための位置情報変換ユニットを更に含むことを特徴とする、請求項１に記載のシステム。
【請求項５】
前記一般的な地理的位置データが、海抜高度と共に緯度経度によって表されるか、または、地理的位置を含む地域名や建築物を含む地域名によって表されることを特徴とする、請求項４に記載のシステム。
【請求項６】
前記位置決め管理サブシステムが、ユーザ位置情報を記憶する位置情報記憶ユニットを更に含むことを特徴とする、請求項１に記載のシステム。
【請求項７】
前記位置決め情報検出ユニットが、独立したデバイスであり、または、ＡＳに配置される機能モジュールであり、または、ＷＬＡＮ  ＡＣに配置される機能モジュールであり、または、ＡＰに配置される機能モジュールであり、ＵＥに配置される機能モジュールであり、または、ＡＳ、ＡＰ、ＡＣ及びＵＥの任意の複数のデバイス内にそれぞれ配置される一つ以上の機能モジュールの組み合わせであることを特徴とする、請求項１に記載のシステム。
【請求項８】
ＷＬＡＮの上記システムによってユーザ位置決めを実施する方法であって、
（ａ）ＷＬＡＮ  ＵＥの位置情報を得る要求をする際に、アプリケーションクライアントが、位置決め管理サブシステムへユーザ位置情報リクエストを送り、
（ｂ）前記ユーザ位置情報リクエストを受け取った後、前記位置決め管理サブシステムが、前記ＷＬＡＮ  ＵＥの位置情報を得ると共に、ユーザ位置情報応答へ得られた位置情報を乗せ、次に、前記アプリケーションクライアントへ前記応答を送る、
方法。
【請求項９】
ＷＬＡＮ  ＵＥの位置情報が、前記現在ＵＥが接続された前記アクセスポイントのアクセスポイント識別情報、または、前記位置決め管理サブシステムによって前記現在ＵＥが接続された前記アクセスポイントの前記アクセスポイント識別情報から変換された一般的な地理的位置を表すフォーマットを有するデータ情報であることを特徴とする、請求項８に記載の方法。
【請求項１０】
前記アクセスポイント識別情報が、個別に定義付けられると共に位置決め管理サブシステムサービスエリアの各アクセスポイントを固有に識別するために使用されるアクセスポイント識別子、または、現在アクセスポイントの仮想ローカルネットワーク識別子と該アクセスポイントのネットワークコントロールサーバにおける接続ポート番号とによって結合されると共に位置決め管理サブシステムサービスエリアの各アクセスポイントを固有に識別するために使用される識別子、であることを特徴とする請求項９に記載の方法。
【請求項１１】
前記方法が、ＷＬＡＮ  ＵＥが異なるアクセスポイントを入力した後、前記位置決め情報検出ユニットが前記受け取られたユーザ位置情報を記憶する前記位置決め管理サブシステムへ前記ユーザ位置情報を転送し、前記位置決め管理サブシステムがそれ自体に記憶した前記ユーザ位置情報から前記ＵＥの所望される位置情報を取り出すことを更に含むことを特徴とする請求項８に記載の方法。
【請求項１２】
前記ユーザ位置情報が、前記ユーザアクセス許可リクエストメッセージの既存の情報エレメントに乗せられた状態で、または、前記ユーザアクセス許可リクエストメッセージに新たに加えられた情報エレメントに乗せられた状態で、または、独立して設定された位置情報転送信号中に乗せられた状態で、位置決め管理サブシステムに転送されることを特徴とする請求項１１に記載の方法。
【請求項１３】
前記方法が、前記ユーザのオフラインが検出された時、前記位置決め管理サブシステムが前記記憶された情報からこのユーザの位置情報を直ちに削除し、または、このユーザの位置情報を無効に設定し、ある一定の期間保存した後、このユーザの位置情報を削除することを更に含むことを特徴とする請求項１１に記載の方法。
【請求項１４】
前記方法が、前記ＵＥが接続された前記アクセスポイントの変化が検出された時、前記位置決め管理サブシステムが前記内部位置情報記憶ユニットのこのユーザの位置情報を直ちに更新することを更に含む、ことを特徴とする請求項１１に記載の方法。
【請求項１５】
前記方法が、前記アプリケーションクライアントから前記ユーザ位置情報リクエストを受け取った後、前記位置決め管理サブシステムがこのユーザの前記記憶されている位置情報がこのユーザの実際の位置情報と一致しているかを判断し、一致している場合、前記アプリケーションクライアントへ前記記憶されている位置情報を送り、一致していない場合、このユーザの前記記憶されている位置情報を更新し、前記アプリケーションクライアントへ前記更新された位置情報を送ることを更に含むことを特徴とする請求項１１に記載の方法。
【請求項１６】
このユーザの記憶されている位置情報がこのユーザの実際の位置情報と一致しているかを判断する前記ステップが、前記位置決め管理サブシステムの前記管理ユニットが、前記位置決め情報検出ユニットへユーザのオンライン状態と位置確認メッセージとを送り、前記位置情報記憶ユニットが返却された確認メッセージに基いて判断を実行することを更に含むことを特徴とする請求項１５に記載の方法。
【請求項１７】
ステップ（ｂ）のＷＬＡＮ  ＵＥの位置情報を得る前記ステップが、
（ｂ１１）前記位置決め管理サブシステムが前記アプリケーションクライアントから前記ユーザ位置情報リクエストを受け取った後、前記管理ユニットは、前記対応する宛先ＵＥの位置決め情報検出ユニットへ、ユーザＷＬＡＮ位置情報リクエストを送り、
（ｂ１２）前記ユーザＷＬＡＮ位置情報リクエストを受け取った後、この宛先ＵＥの位置決め情報検出ユニットは、前記位置決め管理サブシステムの前記管理ユニットへ、前記宛先ＵＥが接続された現在アクセスポイントのアクセスポイント識別情報をキャリーするユーザＷＬＡＮ位置情報応答を返却する、
ことを含むことを特徴とする請求項８に記載の方法。
【請求項１８】
ステップ（ｂ１１）が、前記ユーザ位置情報リクエストを受け取った後、前記位置決め管理サブシステムは、前記アプリケーションクライアントが前記宛先ＵＥの位置情報を得ることを許可されたかを判断し、許可された場合、ステップ（ｂ１２）を実行し、そうでなければ、前記ユーザ位置情報リクエストを拒否することを更に含むことを特徴とする請求項１７に記載の方法。
【請求項１９】
前記ユーザＷＬＡＮ位置情報リクエストとユーザＷＬＡＮ位置情報応答が、前記宛先ＵＥと前記位置決め管理サブシステムとの間のネットワークによって提供可能であるデータ転送方法によって転送されることを特徴とする請求項１７に記載の方法。
【請求項２０】
ステップ（ｂ）のＷＬＡＮ  ＵＥの位置情報を得る前記ステップが、
（ｂ２１）前記位置決め管理サブシステムが前記アプリケーションクライアントから前記ユーザ位置情報リクエストを受け取った後、前記管理ユニットは、ＡＣの位置決め情報検出ユニットへ、ユーザＷＬＡＮユーザ位置情報リクエストを送り、
（ｂ２２）前記ユーザＷＬＡＮ位置情報リクエストを受け取った後、前記位置決め情報検出ユニットは、前記位置決め管理サブシステムの前記管理ユニットへ、前記宛先ＵＥが接続された現在アクセスポイントのアクセスポイント識別情報をキャリーするユーザＷＬＡＮ位置情報応答を返却する、
ことを含むことを特徴とする請求項８に記載の方法。
【請求項２１】
前記ステップ（ｂ２１）が、前記ユーザ位置情報リクエストを受け取った後、前記位置決め管理サブシステムは、前記アプリケーションクライアントが前記宛先ＵＥの位置情報を得ることを許可されたかを判断し、許可された場合、ステップ（ｂ２２）を実行し、そうでなければ、前記ユーザ位置情報リクエストを拒否することを更に含むことを特徴とする請求項２０に記載の方法。
【発明の詳細な説明】
【技術分野】
【０００１】
本発明は、モバイル通信のユーザ位置決め方法に係り、より詳細には、ワイヤレスローカルエリアネットワーク（ＷＬＡＮ）のためのユーザ位置決めシステム及びその方法に関する。
【背景技術】
【０００２】
ワイヤレスアクセス速度に対するユーザのリクエストが高まるにつれて、ＩＥＥＥ（アイトリプルイー）８０２．１１ｂ／ａの基準に基づき、狭域での高速ワイヤレスデータアクセス技術を提供する、ワイヤレスローカルエリアネットワーク（ＷＬＡＮ）が提示されてきた。ここで、広範囲に応用されているＩＥＥＥ８０２．１１ｂは通常、２．４ＧＨｚの周波数帯を採用するが、ＩＥＥＥ８０２．１１ａは５ＧＨｚの周波数帯を採用する。図１は、従来のＷＬＡＮの一般的なネットワークストラクチャを示す概略図である。図１に示されるように、ＷＬＡＮは、一般に、アクセスポイント（ＡＰ）、アクセスコントローラ（ＡＣ）、認証、許可、アカウントサーバ（ＡＳ）、及びダイナミックホストコンフィグレーションプロトコル（ＤＨＣＰ）デバイスから構成される。ＡＣは、ＡＰ、ＡＳ、及びＤＨＣＰの全てと接続可能なだけでなく、ポータルサーバを介して、インターネットプロトコル（ＩＰ）ネットワークにも同時接続可能である。ユーザ装置（ＵＥ）は、ワイヤレスモードでＡＰに接続され、ユーザアクセスをコントロールするＡＣを介してインターネットなどのデータネットワークへアクセスされる。通常、ＷＬＡＮ、ＡＣ、及びＡＰのアクセス部分は独立したデバイスであってもよいし、単一デバイスで統合されてもよい。実際の利用において、ＷＬＡＮに８０２．１１ｂ技術が採用された時、１１Ｍｂｐｓ（メガビット毎秒）の転送速度が得られるが、８０２．１１ａ技術が採用された時には５４Ｍｂｐｓの転送速度が得られ、設備コストも安い。
【０００３】
更に、ＷＬＡＮは、Ｂｌｕｅｔｏｏｔｈ及びＥＴＳＩ  ＢＲＡＮ  Ｈｉｐｅｒｌａｎなどの他の技術用いることによって実施可能である。ワイヤレスアクセス技術にもいろいろな種類があるが、大部分のＷＬＡＮは、ＩＰグルーピングデータパケットを転送するために使用される。ワイヤレスＩＰネットワークについて、採用された特定のＷＬＡＮアクセス技術は、通常、上位のＩＰ階層（ヒエラルキ）に対して透過的である。基本的に、ユーザのワイヤレスアクセスは、ＡＰによって行われ、ＩＰ転送ネットワークは、ネットワークコントローラデバイスと接続デバイスとのインターリンクを介して、形成される。
【発明の開示】
【発明が解決しようとする課題】
【０００４】
ユーザに対して豊富で多彩なサービスを提供するために、サービスプロバイダは、新しいサービスを常に推進している。これらのサービスのいくつかはユーザの現在位置に関わっており、これによって、ユーザの現在位置情報を得る、即ち、現在ユーザを位置決めすることが要求される。現在、モバイル通信のためのグローバルシステム（ＧＳＭ）、ジェネラルパケットラジオサービス（ＧＰＲＳ）及びユニバーサルモバイル通信システム（ＵＭＴＳ）などのモバイル通信ネットワークのいくつかにおいて、ユーザ位置決め機能が提供可能である。これによって、ユーザの現在セル及びベースステーションの位置情報に応じたユーザの推測される位置エリアが確認される。しかしながら、ＧＳＭ及びＵＭＴＳなどのネットワークのベースステーションの対応有効範囲（カバースペース）は５００ｍ乃至１０００ｍにすぎず、ユーザの位置決め範囲は１キロメートル以内に留まり、正確な位置決めが不可能となる。関連して言えば、ＷＬＡＮアクセスポイントの対応有効範囲は、ほんの数十メートルと非常に小さいが、いまだに、ＷＬＡＮのユーザの位置決め情報を提供する具体的な解決方法が提示されていない。
【課題を解決するための手段】
【０００５】
本発明の目的は、ＷＬＡＮのユーザに対する位置決めを実施するためのＷＬＡＮのためのユーザ位置決めシステムを提供することである。
【０００６】
本発明の他の目的は、ＷＬＡＮユーザを容易に高精度で位置決めできるようにＷＬＡＮのユーザ位置決めを実施する方法を提供することである。
【０００７】
上記の目的を達成する技術的な方法は、以下の通りである。
【０００８】
一つ以上のユーザ装置（ＵＥ）とＷＬＡＮアクセス部分とを含み、ＷＬＡＮユーザの位置情報を得ると共に、位置決め管理サブシステムに位置情報をリクエストするアプリケーションクライアントへ所望されるユーザ位置情報を送る位置決め管理サブシステムとを含む、ワイヤレスローカルエリアネットワーク（ＷＬＡＮ）のためのユーザ位置決めシステムであって、位置決め管理サブシステムがＵＥとアプリケーションクライアントの両方に接続され、位置決め管理サブシステムが、該位置決め管理サブシステム内部の情報インタラクションプロセスと、該位置決め管理サブシステムと該位置決め管理サブシステム外部の間の情報インタラクションプロセスとをコントロールする、管理ユニットと、管理ユニットに接続され、ユーザ位置情報を得ると共に該ユーザ位置情報の変化を検出する、位置決め情報検出ユニットと、を更に含むことを特徴とする、ユーザ位置決めシステムである。
【０００９】
ここで、位置決め管理サブシステムが、独立したデバイスであり、または、ＡＳに配置される機能モジュールであり、または、ＷＬＡＮ  ＡＣに配置される機能モジュールであり、または、ＡＰに配置される機能モジュールであり、ＵＥに配置される機能モジュールであり、または、ＡＳ、ＡＰ、ＡＣ及びＵＥの任意の複数のデバイス内にそれぞれ配置される一つ以上の機能モジュールの組み合わせである。
【００１０】
位置決め情報検出ユニットが、独立したデバイスであり、または、ＡＳに配置される機能モジュールであり、または、ＷＬＡＮ  ＡＣに配置される機能モジュールであり、または、ＡＰに配置される機能モジュールであり、ＵＥに配置される機能モジュールであり、または、ＡＳ、ＡＰ、ＡＣ及びＵＥの任意の複数のデバイス内にそれぞれ配置される一つ以上の機能モジュールの組み合わせである。
【００１１】
位置決め管理サブシステムが、アクセスポイント識別情報を一般的な地理的位置データへ変換するための位置情報変換ユニットを更に含む。一般的な地理的位置データが、海抜高度と共に緯度経度によって表されるか、または、地理的位置を含む地域名や建築物を含む地域名によって表される。
【００１２】
ＷＬＡＮの上記システムによってユーザ位置決めを実施する方法であって、（ａ）ＷＬＡＮ  ＵＥの位置情報を得る要求をする際に、アプリケーションクライアントが、位置決め管理サブシステムへユーザ位置情報リクエストを送り、（ｂ）ユーザ位置情報リクエストを受け取った後、位置決め管理サブシステムが、ＷＬＡＮ  ＵＥの位置情報を得ると共に、ユーザ位置情報応答へ得られた位置情報を配置し、次に、アプリケーションクライアントへ応答を送る、方法。
【００１３】
ここで、ＷＬＡＮ  ＵＥの位置情報は、現在ＵＥが接続された該アクセスポイントのアクセスポイント識別情報、または、位置決め管理サブシステムによって現在ＵＥが接続されたアクセスポイントのアクセスポイント識別情報から変換された一般的な地理的位置を表すフォーマットを有するデータ情報である。アクセスポイント識別情報は、個別に定義付けられると共に位置決め管理サブシステムサービスエリアの各アクセスポイントを固有に識別するために使用されるアクセスポイント識別子、または、現在アクセスポイントの仮想ネットワーク識別子と該アクセスポイントのネットワークコントロールサーバにおける接続ポート番号とによって結合されると共に位置決め管理サブシステムサービスエリアの各アクセスポイントを固有に識別するために使用される識別子、である。
【００１４】
本方法は、ＷＬＡＮ  ＵＥが異なるアクセスポイントを入力した後、位置決め情報検出ユニットが受け取られたユーザ位置情報を記憶する位置決め管理サブシステムへユーザ位置情報を転送し、位置決め管理サブシステムがそれ自体に記憶したユーザ位置情報からＵＥの所望される位置情報を取り出すことをさらに含み得る。ユーザ位置情報が、ユーザアクセス許可リクエストメッセージの既存の情報エレメントに配置された状態で、または、該ユーザアクセス許可リクエストメッセージに新たに加えられた情報エレメントに配置された状態で、または、独立して設定された位置情報転送信号中に配置された状態で、位置決め管理サブシステムに転送される。
【００１５】
本方法は、ユーザのオフラインが検出された時、位置決め管理サブシステムが記憶された情報からユーザの位置情報を直ちに削除し、または、ユーザの位置情報を無効に設定し、ある一定の期間保存した後、ユーザの位置情報を削除することを更に含み得る。
【００１６】
本方法は、ＵＥが接続されたアクセスポイントの変化が検出された時、位置決め管理サブシステムが内部位置情報記憶ユニットのユーザの位置情報を直ちに更新することを更に含み得る。
【００１７】
本方法は、アプリケーションクライアントからユーザ位置情報リクエストを受け取った後、位置決め管理サブシステムがユーザの記憶されている位置情報がユーザの実際の位置情報と一致しているかを判断し、一致している場合、アプリケーションクライアントへ記憶されている位置情報を送り、一致していない場合、ユーザの該記憶されている位置情報を更新し、アプリケーションクライアントへ更新された位置情報を送ることを更に含み得る。ここで、ユーザの記憶されている位置情報が該ユーザの実際の位置情報と一致しているかを判断するステップが、位置決め管理サブシステムの該管理ユニットが、位置決め情報検出ユニットへユーザのオンライン状態と位置確認メッセージとを送り、位置情報記憶ユニットが返却された確認メッセージに基づいて判断を実行することを更に含み得る。
【００１８】
ステップ（ｂ）のＷＬＡＮ  ＵＥの位置情報を得る方法は、（ｂ１１）位置決め管理サブシステムが該アプリケーションクライアントからユーザ位置情報リクエストを受け取った後、管理ユニットは、対応する宛先ＵＥの位置決め情報検出ユニットへ、ユーザＷＬＡＮ位置情報リクエストを送り、（ｂ１２）ユーザＷＬＡＮ位置情報リクエストを受け取った後、宛先ＵＥの位置決め情報検出ユニットは、位置決め管理サブシステムの管理ユニットへ、宛先ＵＥが接続された現在アクセスポイントのアクセスポイント識別情報をキャリーするユーザＷＬＡＮ位置情報応答を返却することを含み得る。
【００１９】
ステップ（ｂ１１）が、ユーザ位置情報リクエストを受け取った後、位置決め管理サブシステムは、アプリケーションクライアントが宛先ＵＥの位置情報を得ることを許可されたかを判断し、許可された場合、ステップ（ｂ１２）を実行し、そうでなければ、ユーザ位置情報リクエストを拒否することを更に含み得る。
【００２０】
ユーザＷＬＡＮ位置情報リクエストとユーザＷＬＡＮ位置情報応答が、宛先ＵＥと位置決め管理サブシステムとの間のネットワークによって提供可能であるデータ転送方法によって転送される。
【００２１】
ステップ（ｂ）のＷＬＡＮ  ＵＥの位置情報を得る他の方法が、（ｂ２１）位置決め管理サブシステムがアプリケーションクライアントから該ユーザ位置情報リクエストを受け取った後、管理ユニットは、ＡＣの位置決め情報検出ユニットへ、ユーザＷＬＡＮ位置情報リクエストを送り、（ｂ２２）ユーザＷＬＡＮ位置情報リクエストを受け取った後、位置決め情報検出ユニットは、位置決め管理サブシステムの該管理ユニットへ、宛先ＵＥが接続された現在アクセスポイントのアクセスポイント識別情報をキャリーするユーザＷＬＡＮ位置情報応答を返却することを含み得る。
【００２２】
ステップ（ｂ２１）が、該ユーザ位置情報リクエストを受け取った後、該位置決め管理サブシステムは、該アプリケーションクライアントが該宛先ＵＥの位置情報を得ることを許可されたかを判断し、許可された場合、ステップ（ｂ２２）を実行し、そうでなければ、ユーザ位置情報リクエストを拒否することを更に含み得る。
【００２３】
上述の技術的な概要から、本発明のキーは、ユーザ位置決め機能を有する位置決め管理サブシステムが特別に配置されていることによって、ＷＬＡＮネットワークのユーザが位置決め可能となることが理解されよう。位置決めプロセスにおいて、ＷＬＡＮのアクセスポイント対応有効範囲がユーザ位置決めの最小ユニットとして捉えられる。ユーザがＷＬＡＮの異なるアクセスポイントの対応有効範囲を入力すると、ユーザが現在置かれているアクセスポイントの識別情報がユーザ位置情報とみなされ、これよって、本発明の実施が簡便化される。さらに、ＷＬＡＮの対応有効範囲は小さいので、位置決め精度が高い。
【００２４】
これにより、本発明によって提供されるＷＬＡＮのユーザ位置決めシステム及びその方法は、以下の利点と特徴を有する。
【００２５】
１）  本発明によれば、ＷＬＡＮユーザへ位置決めサービスを提供することによってＷＬＡＮのサービス能力が高まる。
【００２６】
２）  ＷＬＡＮネットワークと、既にユーザに対して位置決め能力を有する他のネットワークの間の相互通信能力が高まる。
【００２７】
３）  本発明において、位置決め管理サブシステムが新しく配置され、現在ユーザの特定の位置情報が現在ユーザが接続されるＡＰの識別情報に基づいて得られ、これが必要に応じてアプリケーションクライアントへ送られ、これによって、ＷＬＡＮユーザのユーザ位置決め機能が実現される。
【００２８】
４）  実際の利用において、ＷＬＡＮのアクセスポイントの受信可能範囲は、通常２０ｍ乃至５０ｍであるが、ＵＥが接続されたアクセスポイントの情報に基づいて、この２０ｍ乃至５０ｍのエリアの精度で、ユーザを容易に位置決めすることが可能である。
【００２９】
５）  ＵＥが情報転送に参加しているのでリアルタイムの品質は良好である。ネットワークを再構築せずに、多くの位置に関連したサービスが提供可能であり、これによって、ユニバーサルモバイル通信システム（ＵＭＴＳ）及び他の通信ネットワークが位置サービスにおいてＷＬＡＮと容易に相互通信することができる。
【００３０】
６）  本発明によるユーザ位置情報を得るためのインタラクティブな過程において、既存の動作フローを殆ど変更しなくても、いくつかの既存の処理フローまたはメッセージが使用可能であり、これによって、本発明の実施が簡便化される。
【発明を実施するための最良の形態】
【００３１】
ここで、添付図面及び好ましい実施の形態を参照することによって、以下に本発明を詳細に説明する。
【００３２】
図２に示されるように、本発明は、ＷＬＡＮにおいてユーザ位置決め機能を有するシステムを提供する。この位置決めシステムは、複数のＵＥとＷＬＡＮアクセス部分と位置決め管理サブシステムとを含む。この位置決め管理サブシステムは、ワイヤレスの状態で、ダイナミック（動的）に、ＵＥとアプリケーションクライアントに直接的にまたは間接的に接続される。即ち、ユーザの位置情報がリクエストされ次第、接続が確立される。位置決め管理サブシステムは、情報を得るためにＵＥに直接的に接続可能であり、又は、ＵＥに接続されたＡＣを介して、または、３ＧＰＰにおけるモバイル通信ネットワークなどの何らかの中間ネットワークを介して、ＵＥに間接的に接続可能である。位置決め管理サブシステムは、直接的に、または、何らかの中間ネットワークを介して、アプリケーションクライアントに接続される。ここで、通常、ＵＥはモバイルステーションであり、ＷＬＡＮアクセス部分は少なくともＡＰとＡＣを含み、アプリケーションクライアントは一種のサービスアプリケーションであってもよいし又はＵＥそのものであってもよい。ＷＬＡＮの内部または外部に配置されたアプリケーションクライアントは、ユーザの位置情報がリクエストされた時、位置決め管理サブシステムにリクエストを送る。
【００３３】
図３には、位置決め管理サブシステムの特定の構造が示され、該構造は、内部情報インタラクションのために相互接続される、少なくとも位置決め情報検出ユニットと管理ユニットとを含む。管理ユニットは、アプリケーションクライアント等の周辺機器にも接続され、位置決め管理サブシステムの内部と外部の間での情報インタラクションを履行する。ここで、管理ユニットは、位置情報検出ユニットに接続され、主として、サブシステム内部の情報インタラクションと該サブシステムの内部と外部の間の情報インタラクションとをコントロールするために使用される。位置決め情報検出ユニットは二つの機能を有する。即ち、一つは、ＵＥの位置情報を得る基本的な機能であり、他の一つは、ユーザの位置情報の変化を検出し、即ち、リアルタイムで、または、（位置情報が）リクエストされた時点で、指定されたＵＥ又は各ＵＥの現在位置情報の変化を検出し、この変化を能動的又は受動的に位置決め管理サブシステムに報告する機能である。
【００３４】
特定の用途において、位置決め情報検出ユニットは、独立したデバイスであってもよいし、または、機能的モジュールとして、ＡＳ、ＡＣ、ＡＰ、または、ＵＥ内にセットされてもよいし、あるいはまた、異なるデバイス内にそれぞれ配置された、複数のサブ機能モジュールを組み合わせたものであってもよい。例えば、位置決め情報検出ユニットは、ＡＳ、ＡＣ、ＡＰ、または、ＵＥ内にそれぞれ配置された、いくつかのサブ機能モジュールの組み合わせによって形成される。
【００３５】
位置決め管理サブシステムの主要機能は、以下に示す通りである。ユーザの位置情報を要求する際、アプリケーションクライアントは、位置決め管理サブシステムへリクエストを送る。位置決め管理サブシステムの管理ユニットは、このリクエストを受け、位置決め情報検出ユニットへ、アプリケーションクライアントによって要求されたユーザの位置情報をリクエストするオーダー（指示）を送る。位置決め情報検出ユニットは、要求されたユーザの位置情報を得て、次に、それを管理ユニットへ送り、該管理ユニットはそれをアプリケーションクライアントへ返却する。事実上、いわゆる位置情報とは、現在のユーザに対応する現在アクセスポイントのアクセスポイント識別情報であってもよいし、該アクセスポイント識別情報の変換に基づいて得られる一般的な位置情報であってもよい。ここで、アクセスポイント識別情報は、一位置決め管理サブシステムの対応サービスエリアの各アクセスポイントを固有に識別するために使用可能な、個別に定義付けられたアクセスポイント識別コードによって表示可能な、または、現在アクセスポイントの仮想ネットワーク識別子と該アクセスポイントのネットワークコントロールサーバにおける接続ポート番号とが結合した識別コードによって表示可能な、識別子である。従来のＷＬＡＮストラクチャのアクセスポイントの受信可能範囲を、本発明ではユーザポジショニング（位置決め）のための最小の位置情報ユニットとして捉え、アクセスポイント識別またはアクセスポイントに関連した識別を位置識別として捉えるので、これを基礎として、高精度のユーザ位置データが提供されることが理解されよう。
【００３６】
実際の利用において、この位置決め管理サブシステムは、ＷＬＡＮに配置可能である。この場合、該位置決め管理サブシステムは、独立したデバイスであってもよいし、機能モジュールとしてＷＬＡＮのＡＳに配置可能であり、ＡＣに配置可能であり、ＡＰに配置可能であり、または、ＵＥ内に直接配置可能である。位置決め管理サブシステムは、それぞれが異なるいくつかのデバイス内に配置された複数の機能モジュールを組み合わせて構成されてもよい。例えば、位置決め管理サブシステムのあるユニットはＵＥ内に配置可能であり、他のユニットはＡＣまたはＡＰ内に配置可能であり、これらの二つの部分が互いに協働し合って、ＵＥの位置情報を得る動作を実現する。しかしながら、位置決め管理サブシステムはＷＬＡＮの外側にも配置可能である。この場合、位置決め管理サブシステムとＵＥとＷＬＡＮアクセス部分との接続関係を変えるのではなく、異なる中間ネットワークを介して通信を伝達するだけでよい。
【００３７】
実施の形態１によるシステム  
位置決め管理サブシステムによって得られるアクセスポイント識別情報は、通常、アプリケーションクライアントによって直接識別されたり、使用されたりすることができないので、より便利で分かりやすい位置情報を提供するために、図４に示されるように、位置情報変換ユニットが基本の位置決め管理サブシステムに配置される。この位置情報変換ユニットは、得られたアクセスポイント識別情報を海抜高度と共に緯度経度によって表される特定の地理的位置、地理的位置地域名、建物地域名等の、アプリケーションクライアントによって識別され得る情報フォーマットへ変換するために、使用される。この位置情報変換ユニットは、位置情報変換ユニットの情報インタラクション及び情報転送をコントロールする、管理ユニットに接続される。位置情報変換ユニットは、直接または管理ユニットを介して、位置決め情報検出ユニットと相互接続されることも可能である。この場合、位置決め情報検出ユニットは、ＵＥについて得られた位置情報を位置情報変換ユニットへ送り、変換された情報が管理ユニットによって送り出される。
【００３８】
実施の形態２によるシステム
実際のユーザ位置決め中、各ＵＥの位置情報は、アプリケーションクライアントのリクエストがあり次第、リアルタイムで、位置決め管理サブシステムによって得ることができる。あるいは、各ＵＥの位置情報は、位置決め管理サブシステムに予め記憶しておき、要求あり次第、記憶された情報から得ることが可能である。これにより、図５に示されるように、ＵＥの位置情報を記憶するために、メモリ装置またはデータベースであってもよい位置情報記憶ユニットが、基本の位置決め管理サブシステム内に配置される。位置情報記憶ユニットは、位置情報記憶ユニットの情報インタラクション及び位置転送をコントロールする、管理ユニットに接続される。位置情報記憶ユニットは、直接に、または、管理ユニットを介して、位置決め情報検出ユニットに相互接続可能である。この場合、位置決め情報検出ユニットは、ＵＥについて要求された位置情報を位置情報記憶ユニットに記憶するために転送し、管理ユニットは、位置情報記憶ユニットからの情報を読み取り、要求あり次第、それを周辺機器へ送る。
【００３９】
位置決め情報検出ユニットは、要求あり次第、または、リアルタイムで、各ユーザの位置情報の変化を検出すると共に、記憶されている位置情報を更新することが可能である。具体的には、ＵＥの位置情報が予め記憶されている時、実際の利用においては、ＵＥの移動度が大きいため、ユーザの位置情報は頻繁に変化する。これにより、アプリケーションクライアントによって照会される目標のユーザの現在位置情報が、位置決め管理サブシステムに記憶されている現在位置情報に一致しない可能性がある。記憶されている位置情報がアプリケーションクライアントに更にフィードバックされた場合、これが結果的に目標ユーザに対しての誤処理（ミスハンドリング）になることは決定的である。したがって、返却されたユーザ位置情報の信頼度を保証するには、アプリケーションクライアントから位置情報リクエストを受け取った後、まず最初に、現在ユーザの記憶された情報を位置情報記憶ユニット内で探索し、次に、この位置情報によってユーザの位置をベリファイ（検証）する。この検証が成功すれば、記憶された位置情報がアプリケーションクライアントへフィードバックされる。そうでない場合、現在ユーザの実際の位置情報を得るフローを開始し、位置情報記憶ユニット内で現在ユーザの位置情報を更新し、即ち、現在入手中の位置情報と交換し、新しい位置情報をアプリケーションクライアントへフィードバックする。当然のことながら、位置決め情報検出ユニットは、各ＵＥの位置変化をリアルタイムでモニタすると共に、位置情報記憶ユニットに記憶されている情報を随時更新することができる。
【００４０】
実施の形態３によるシステム  
図６は、本発明の好ましい実施の形態による位置決め管理サブシステムを示す。図６に示されるように、位置決め管理サブシステムは、管理ユニット、位置決め情報検出ユニット、位置情報記憶ユニット、及び位置情報変換ユニットを含む。管理ユニットは、全てのユニット間の情報インタラクションと、サブシステムと周辺機器の間の情報活性化と、をコントロールするために使用される。位置情報検出ユニットによって獲得されたＵＥの位置情報は記憶されてもよく、次に、該記憶された情報が管理ユニットによってアプリケーションクライアントへフィードバックされ、あるいは、ＵＥの獲得された位置情報が、記憶されずに、管理ユニットによってアプリケーションクライアントへ直接フィードバックされてもよい。獲得された位置情報は、まず最初に、位置情報記憶ユニットへ置かれ、次に、周辺機器へ転送される前に、情報フォーマット変換を受けてもよい。あるいは、獲得された位置情報に対して、まず最初に、情報フォーマット変換が行われ、該変換された位置情報が記憶され、要求あり次第、読み出され、該変換された位置情報が、管理ユニットによって、直ちに、周辺機器へ送られてもよい。このシステムへの様々な要求を満たす複数のフレキシブルな動作方法が提供されている。
【００４１】
実施の形態４によるシステム
図７は、本発明の好ましい実施の形態による位置決め管理サブシステムを示す。この実施の形態において、位置決め管理サブシステムは、機能モジュールとして、あるＵＥの内部に配置される。全てのアプリケーションクライアントは、ＷＬＡＮアクセス部分を介して、位置決め管理サブシステムと対話する。
【００４２】
実施の形態５によるシステム
図８は、本発明の好ましい実施の形態による位置決め管理サブシステムを示す。この実施の形態において、位置決め管理サブシステムのいくつかの機能ユニットが別個に配置されている。即ち、該位置決め管理サブシステムは、位置情報変換ユニット、位置情報記憶ユニット、及び管理ユニットからなり、これらのユニットは全て、それぞれ各ＵＥに配置された位置決め情報検出ユニットと一緒に、集合的に配置される。アプリケーションクライアントの要求あり次第、管理ユニットは、リクエスト情報を受け取り、次に、ワイヤレスの状態で、指定されたＵＥの位置決め情報検出ユニットへ位置情報を得るように指示を送る。この位置決め情報検出ユニットは、このＵＥの現在位置情報を管理ユニットへ返却し、該管理ユニットは、次に、この情報を対応するアプリケーションクライアントへフィードバックする。この実施の形態において、ＵＥの位置情報を表示するアクセスポイント識別情報はブロードキャスト手段を介してＡＰから転送され、次に、このＵＥによってリアルタイムで受け取られる。
【００４３】
実施の形態６によるシステム
図９は、本発明の好ましい実施の形態による位置決め管理サブシステムを示す。この実施の形態において、位置決め管理サブシステムのいくつかの機能ユニットが別個に配置されている。即ち、該位置決め管理サブシステムは、位置情報変換ユニット、位置情報記憶ユニット、及び管理ユニットからなり、これらのユニットは全て、ＷＬＡＮアクセス部分に配置された位置決め情報検出ユニットと一緒に、集合的に配置される。アプリケーションクライアントの要求あり次第、管理ユニットは、リクエスト情報を受け取り、次に、ワイヤレスの状態で、ＷＬＡＮアクセス部分の位置決め情報検出ユニットへ、位置情報を得るように指示を送る。この位置決め情報検出ユニットは、このＵＥの現在位置情報を管理ユニットへ返却し、該管理ユニットは、次に、この情報を対応するアプリケーションクライアントへフィードバックする。この実施の形態において、ＵＥの位置情報を表すアクセスポイント識別情報は、該ＵＥがアクセスポイントの受信可能範囲内へ移動する際のアクセス情報に基づいて、該情報を介して、ＡＣが該ＵＥの位置を決定することができる情報である。
【００４４】
実施の形態７によるシステム
図１０に示されるように、位置決め管理サブシステムの位置決め情報検出ユニットは、それぞれがＵＥとＡＰの内部に配置される部分Ａと部分Ｂからなる。部分Ａと部分Ｂは、現在ＵＥの位置情報を得るために互いに協働する。即ち、ＡＰ内の位置決め情報検出ユニットの部分Ｂは、ブロードキャスト手段を介して、アクセスポイント識別情報を送り、ＵＥ内の位置決め情報検出ユニットの部分Ａは、それ自体の現在位置を決定する情報をリアルタイムで受け取り、次に、決定された位置情報を管理ユニットへ送る。
【００４５】
実施の形態８によるシステム
図１１に示されるように、位置決め管理サブシステムの位置決め情報検出ユニットは、それぞれがＡＰとＡＣの内部に配置される、部分Ａ'  と部分Ｂ'  からなる。部分Ａ'  と部分Ｂ'  は、現在ＵＥの位置情報を得るために互いに協働する。即ち、ＡＣ内の位置決め情報検出ユニットの部分Ｂ'  は、ＡＰのアクセスポイント識別情報をリクエストするメッセージをＡＰ内の位置決め情報検出ユニットの部分Ａ'  へ送る。リクエストメッセージを受け取り次第、ＡＰ内の位置情報検出ユニットの部分Ａ'  は、それ自体の識別情報をキャリーする応答メッセージをＡＣ内の位置決め情報検出ユニットの部分Ｂ'  へ返す。ＡＣは、受け取った識別情報に基づいて現在ユーザの位置情報を得て、それを管理ユニットへ送る。
【００４６】
実際の利用において、特定の状況またはユーザの実際の要求内容に応じて、上記の位置情報変換ユニット及び位置情報記憶ユニットは任意に配置可能であり、場合によっては、配置されない。更に、要求に応じて、及び動作を簡単化するために、位置決め管理サブシステム又はサブシステムの各ユニットは任意の位置に配置することができ、これによって、本発明の実施がよりフレキシブルとなり得る。
【００４７】
本発明において提供されるユーザ位置決めシステムにおいて、ユーザ位置決めを実施するための方法が図１２に示され、主として、以下のステップを有する。
【００４８】
ステップ１２０１において、ＷＬＡＮユーザの位置情報を得るべく要求する際、アプリケーションクライアントは、位置決め管理サブシステムへ、ユーザ位置情報リクエストを送る。
【００４９】
ステップ１２０２において、ユーザ位置情報リクエストを受け取った後、位置決め管理サブシステムは、ＷＬＡＮユーザの現在アクセスポイント識別情報を読み出し、それをこのユーザの位置情報とみなす。
【００５０】
ステップ１２０３において、位置決め管理サブシステムは、アプリケーションクライアントへ、位置情報を含むユーザ位置情報応答を送り、ユーザの現在位置を知らせる。
【００５１】
ここで、ＷＬＡＮユーザのリクエストされた現在位置情報を得る過程は、実際に現在アクセスポイントのアクセスポイント識別情報を取り出すことであり、上述されたように、アクセスポイント識別情報は、多数の表示方法からなる。ステップ１２０２では、ユーザ位置情報を得るための二つの方法がある。即ち、位置決め管理サブシステムに予め記憶された位置情報からユーザ位置情報を得る方法か、または、リアルタイムでユーザ位置情報を得る方法か、のいずれかである。後者の場合、位置情報は、ＵＥか、または、ワイヤレスアクセスコントローラか、のいずれかから得られる。予め記憶させた場合、ユーザが異なるアクセスポイントへアクセスすると、位置情報は位置決め管理サブシステムに記憶されてもよいし、または、ＵＥそれ自体に記憶されてもよい。
【００５２】
実施の形態１による方法
ＷＬＡＮ  ＵＥが新しいＡＰにアクセスする時、このＡＰは、位置決め管理サブシステムへ、ユーザの位置情報として作用するそれ自体のアクセスポイント識別情報を送り、これを該位置決め管理サブシステムが記憶する。本実施の形態において、位置決め情報検出ユニットの機能は、ＡＰのアクセス機能及び既存の信号送出フローを用いることによって、ＡＰで実施される。位置情報を記憶する流れは、図１３に示され、以下のステップを有する。
【００５３】
ステップ１３０１において、あるＡＰの対応有効領域を入力するユーザがアクセス及び登録手続きを開始する際、まず、ＷＬＡＮのＵＥとＡＰの間で物理的な接続が設定される。
【００５４】
ステップ１３０２乃至１３０４において、ＵＥとＡＰの間での接続が設定された後、ユーザアクセス認証手続きが開始される。即ち、ＵＥは、ＷＬＡＮを介して、ＡＳへユーザアクセス認証リクエストを送り、次に、ＡＳは、ＵＥに対する認証及び許可を実施する。ここで、ＡＰは、ユーザアクセス許可リクエストメッセージに現在ユーザ情報とＡＰ識別情報を配置し、これがＡＳに転送される。現在ユーザ情報とＡＰ識別情報に対して、単一のＡＰ識別情報エレメントが設定可能であり、または、既存の情報エレメントが使用可能である。
【００５５】
ステップ１３０１乃至１３０６において、許可が通った後、ＡＳは、ＵＥへアクセス許可受容メッセージを送り、ＵＥにアクセス容認を知らせる。一方、ＡＳは、ユーザの位置情報として記憶するために位置決め管理サブシステムへこのＵＥのＡＰ識別情報を送る。現在のネットワークまたは他のネットワークの正規のアプリケーションクライアントがこのユーザの位置情報を得ることを要求する際、正規のアプリケーションクライアントは、位置決め管理サブシステムに情報を直接リクエストすることができる。
【００５６】
上記のプロセスにおいて、ユーザの登録手続きは全体的に既存の登録信号手順を利用する。ユーザが新しいＡＰ対応有効範囲を入力する毎に、ステップ１３０１乃至１３０６が反復され、位置決め管理サブシステムの記憶レコードが更新される。位置決め管理サブシステムはユーザがオンラインであるかを周期的に確認したり、各ＵＥの現在位置を随時検出したりもする。例えば、ユーザがオフラインになったり、新アクセスポイントに移ったりして、ユーザの状態や位置が変更された場合、位置管理サブシステムに記憶されたユーザの位置情報は直ちに更新される。ユーザが無効となった場合、位置決め管理サブシステムは、このユーザの位置情報レコードを抹消するか、または、対応する情報を無効としてラベル付けする。
【００５７】
現在ユーザの位置情報の信頼度を保証するために、アプリケーションクライアントからリクエストを受け取った後、位置決め管理サブシステムは、現在ユーザの位置情報を再確認することもできる。一致している場合、記憶されている情報が採用される。そうでない場合、実際の位置情報が採用され、記憶されている情報は同時に更新される。ここで、位置決め管理サブシステムによるユーザの位置情報の確認は、ＡＰ、ＡＣ、または現在ＵＥへユーザのオンライン状態及び位置確認メッセージを送り、返却された確認メッセージに基づいて判断を行うことによって、実施可能である。
【００５８】
当然のことながら、ステップ１３０３において、ユーザの位置情報の転送は、任意の適切な既存の信号に付することができる。上記の実施の形態において記述されているように、特別な位置情報転送信号も設定可能である。更に、ＡＰの識別情報は、ＡＰからＡＳへ直接転送することができ、ＵＥからＡＳへ直接転送することもでき、あるいは、記憶するために位置決め管理サブシステムへ転送することもできる。即ち、位置決め管理サブシステムの位置決め情報検出ユニットは、ＡＰのアクセス機能、ＡＣのアクセスコントロール機能、または、ＵＥの発信ポイントの受取り及び認識能力を使用することができる。
【００５９】
アクセスポイントの識別情報は、アプリケーションクライアントに対して通常は識別不可能であり、または、識別可能であるが、使い難いので、アプリケーションクライアントへ位置情報を送る前に、位置決め管理サブシステムは、アクセスポイント識別情報を、緯度経度と海抜高度などの標準の地理的位置データへ、または、ＷＬＡＮのネットワーク特性に応じてある建物のある階のある部屋などの具体的な地理的位置へ、変換する必要がある。この変換過程は、位置情報の記憶が終わる前に、または、位置情報が位置決め情報記憶ユニットから読み出された後に、完了可能である。
【００６０】
実施の形態２による方法
ＵＥがＷＬＡＮアクセスポイントの受信可能範囲を入力した後、まず、このＵＥと現在アクセスポイントとの間でワイヤレス接続が設定される。一方、ＵＥは、アクセスポイントとの対話を介して、現在アクセスポイントの識別情報を得る。本発明の実施の形態において、位置決め管理サブシステムの位置決め情報検出ユニットは、既存の信号送出フローと共に、ＵＥの発信ポイントの受け取り及び識別能力の直接使用によって実現される。これ以外に、位置情報記憶ユニットの機能を実施するためにＵＥの記憶能力も使用可能である。アプリケーションクライアントによってユーザ位置情報を得る実施の形態が図示されている。図１４に示されるように、本実施の形態のフローは以下に示す通りである。
【００６１】
ステップ１４０１乃至１４０２において、ＵＥの位置情報を得ることが要求された時、アプリケーションクライアントは、位置決め管理サブシステムへ、ユーザＷＬＡＮ位置情報リクエストを送る。位置決め管理サブシステムは、リクエストを受け取った後、例えば、該リクエストがユーザ位置情報のリクエストであるかを判断し、アプリケーションクライアントがＵＥの位置情報を得ることについて許可されたかを判断するなどの判断、処理をする。
【００６２】
ステップ１４０３において、このリクエストが正規のものであれば、位置決め管理サブシステムの管理ユニットは、ＷＬＡＮ、または、共通のデータパケットを用いたモバイル通信ネットワークを介して、ＵＥの位置決め情報検出ユニットへ、ユーザＷＬＡＮ位置情報リクエストを送る。
【００６３】
ステップ１４０４において、このリクエストを受け取った後で、ＵＥの位置決め情報検出ユニットが、ユーザＷＬＡＮ位置情報の応答に、現在アクセスポイントのアクセスポイント識別情報を配置して、この応答を位置決め管理サブシステムへ送る。ここで、現在ＵＥは、ＷＬＡＮユーザのみならず、他のモバイル通信ネットワークのユーザである場合、現在アクセスポイントによって位置情報を得た後、ＵＥは、この位置情報を転送する、ＷＬＡＮまたは他のモバイル通信ネットワークのいずれかのネットワークを任意に選択することできる。
【００６４】
ＵＥは、構成に応じて、転送ネットワークを選択する。例えば、転送ネットワークの優先順位が構成される。ＵＥは、様々なキャリーモードによって転送される位置情報リクエストを識別し、このリクエストは、データパケット、ショートメッセージ、またはノンストラクチャ補助サービスデータなどの、ＵＥの位置決め情報検出ユニットと位置決め管理サブシステムとの間のネットワークによって提供される、データ転送モードのＷＬＡＮまたはモバイル通信ネットワークを介して、位置決め管理サブシステムの管理ユニットへ転送され得る。
【００６５】
ステップ１４０５乃至１４０６において、位置情報を受け取った後、位置決め管理サブシステムの管理ユニットは、対応する処理、例えば、アクセスポイント識別情報を、一般的な位置情報フォーマットまたはアプリケーションクライアントによってサポートされる位置情報フォーマットへ変換し、次に、アプリケーションクライアントへユーザ位置情報を送り、これによって該アプリケーションクライアントがＵＥの位置情報を手に入れることができる。
【００６６】
実施の形態３による方法
ＵＥがＷＬＡＮアクセスポイントの受信可能範囲を入力した後、ＷＬＡＮのＡＣは、このＵＥに対応するアクセスポイント識別情報を得る。次に、図１５に示されるように、アプリケーションクライアントによってユーザ位置情報を得るプロセスは、図１４に示されたプロセスと同様である。本発明において、ＡＣの位置決め情報検出ユニットの機能は、ＡＣのアクセスコントロール能力と既存の信号送出フローを使用することによって実施される。更に、ＡＣの記憶能力も、位置決め情報検出ユニットの機能を実施するために使用可能である。位置決め管理サブシステムの管理ユニットは、ＡＣの位置決め情報検出ユニットへ、ユーザＷＬＡＮ位置情報リクエストを送り、ＡＣから現在ＵＥのアクセスポイント識別情報を得て、ユーザＷＬＡＮ位置情報応答も、ＡＣからリターンされる。
【００６７】
上記の説明は本発明の好ましい実施の形態に他ならず、本発明の保護範囲を限定するものではない。
【図面の簡単な説明】
【００６８】
【図１】従来のＷＬＡＮのネットワークストラクチャを概略的に示す図である。
【図２】本発明によるユーザ位置決めシステムのストラクチャを概略的に示す図である。
【図３】本発明による位置決め管理サブシステムの一般的なストラクチャを概略的に示す図である。
【図４】本発明の第１の実施の形態による位置決め管理サブシステムのストラクチャを概略的に示す図である。
【図５】本発明の第２の実施の形態による位置決め管理サブシステムのストラクチャを概略的に示す図である。
【図６】本発明の第３の実施の形態による位置決め管理サブシステムのストラクチャを概略的に示す図である。
【図７】本発明の第４の実施の形態による位置決め管理サブシステムのストラクチャを概略的に示す図である。
【図８】本発明の第５の実施の形態による位置決め管理サブシステムのストラクチャを概略的に示す図である。
【図９】本発明の第６の実施の形態による位置決め管理サブシステムのストラクチャを概略的に示す図である。
【図１０】本発明の第７の実施の形態による位置決め管理サブシステムのストラクチャを概略的に示す図である。
【図１１】本発明の第８の実施の形態による位置決め管理サブシステムのストラクチャを概略的に示す図である。
【図１２】本発明による方法のフローチャートを概略的に示す図である。
【図１３】本発明の一つの実施の形態によるユーザ位置決めを実施する方法のフローチャートである。
【図１４】本発明の他の実施の形態によるユーザ位置決めを実施する方法のフローチャートである。
【図１５】本発明のまた他の実施の形態によるユーザ位置決めを実施する方法のフローチャートである。
【図１】
2006505223.tif 000003
【図２】
2006505223.tif 000004
【図３】
2006505223.tif 000005
【図４】
2006505223.tif 000006
【図５】
2006505223.tif 000007
【図６】
2006505223.tif 000008
【図７】
2006505223.tif 000009
【図８】
2006505223.tif 000010
【図９】
2006505223.tif 000011
【図１０】
2006505223.tif 000012
【図１１】
2006505223.tif 000013
【図１２】
2006505223.tif 000014
【図１３】
2006505223.tif 000015
【図１４】
2006505223.tif 000016
【図１５】
2006505223.tif 000017
【国際調査報告】
2006505223.tif 000018
2006505223.tif 000019